(57)【要約】【課題】  液体の付着した手を迅速に拭くことができ、吸液層に吸収された液体が周囲の物や衣服を汚さないようにできる手拭き具を提供する。【解決手段】  略等しい大きさで略方形状の、吸液層と難透液層の二層からなる第１のシートと、吸液層と難透液層の二層からなる第２のシートを、吸液層同士が向き合うように重ね合わせ、重ね合わせた第１のシートと第２のシートの周囲四辺のうち、対向する二辺を接合し、他の二辺を開口部として構成する。【選択図】図１
2018084019.tif 000002
【特許請求の範囲】
【請求項１】
吸液層と難透液層の二層からなる第１のシートと、吸液層と難透液層の二層からなる第２のシートを、前記吸液層同士が向き合うように重ね合わせ、前記第１のシートと前記第２のシートが重なった領域の周囲を、離間する２箇所で接合して構成した手拭き具。
【請求項２】
前記第１のシートと前記第２のシートは、略等しい大きさで略方形状のシートであって、重ね合わせた前記第１のシートと前記第２のシートの周囲四辺のうち、対向する二辺において前記第１のシートと前記第２のシートを接合し、他の二辺を開口部として構成することを特徴とする請求項１に記載の手拭き具。
【請求項３】
前記第１のシートと前記第２のシートは、吸液層と難透液層の二層からなる略長方形状の一枚のシートで構成され、前記略長方形状の一枚のシートは、長手方向を略二分する位置で、吸液層同士が向き合うように折り曲げられ、対向する二本の短辺が接合されることを特徴とする請求項１または２に記載の手拭き具。
【請求項４】
さらに、前記第１のシートと前記第２のシートの間に、両面が吸液層からなる第３のシートを備えることを特徴とする請求項１〜３のいずれか一項に記載の手拭き具。
【請求項５】
さらに、前記第１のシートと前記第２のシートの間に、ハンカチが着脱自在に取り付けられることを特徴とする請求項１〜４のいずれか一項に記載の手拭き具。
【請求項６】
さらに、前記接合された二辺のうち一方の近傍に、鞄又は衣服又は腰ベルトに取り付けるための着脱手段を備えることを特徴とする請求項１〜５のいずれか一項に記載の手拭き具。
【請求項７】
鞄又は衣服に、直接接着または縫着されて用いられることを特徴とする請求項１〜５のいずれか一項に記載の手拭き具。
【発明の詳細な説明】
【技術分野】
【０００１】
この発明は、手拭き具に関するものである。
【背景技術】
【０００２】
水分を吸収しやすい表布の一側に、水分を通しにくい裏布を、重ね合わせて接合し、重ね合わされた領域の周囲の少なくとも一部に開口が形成され、濡れた手を拭く際には、この開口から手を差し込んで用いられるハンカチが提案されている。（例えば、特許文献1参照）。
【０００３】
これにより、濡れた手を拭いた後の水分を含んだハンカチを鞄や衣服の内部に収納する時、水分を通しにくい裏布が外側になるように折り畳めば、周囲の物や衣服を濡らさないようにできる。
【先行技術文献】
【特許文献】
【０００４】
【特許文献１】特開平１０−２１２６０５
【発明の概要】
【発明が解決しようとする課題】
【０００５】
ここで、上述の従来例のハンカチは、ハンカチに形成されている開口箇所から片手を差し込み、水分を吸収しやすい表布を使って、両手に付着している水分を拭き取る。この時、表布と裏布の間に差し込んだ手の甲に接触するハンカチの布が、水分を通しにくい布であることにより、手の甲についた水分を拭き取りにくい。
【０００６】
また、濡れた手を拭いた後の水分を含んだハンカチを鞄や衣服の中に収納する時、水分を通しにくい裏布が外側になるように折り畳んで収納するのが良いとされているが、もし、その手間を怠ってハンカチを鞄や衣服等の中に収納した場合は、水分を吸収した面が周囲の物や衣服を濡らしてしまう心配がある。
【０００７】
本発明は、上述の問題点に鑑みてなされたものであり、本発明の目的は、液体の付着した手を迅速に拭くことができ、吸液層に吸収された液体が周囲の物や衣服を汚さないようにできる手拭き具を提供することにある。
【課題を解決するための手段】
【０００８】
上述した目的を達成するために、本発明の手拭き具は、略等しい大きさで略方形状の、吸液層と難透液層の二層からなる第１のシートと、吸液層と難透液層の二層からなる第２のシートを、吸液層同士が向き合うように重ね合わせ、第１のシートと第２のシートが重なった領域の周囲を、離間する２箇所で接合して構成される。この場合、接合された箇所の間に開口が形成される。
【０００９】
また、鞄又は衣服又は腰ベルトに取り付けられた状態で使うことができるようにするため、手拭き具の、鞄又は衣服又は腰ベルトに接する側の面に、安全ピンや面ファスナーなどの着脱手段を設け、鞄又は衣服又は腰ベルトに対して着脱ができるようにしたり、あるいは、直接、鞄又は衣服又は腰ベルトに対して接着又は縫着したりすることもある。
【発明の効果】
【００１０】
本発明の手拭き具では、手拭き具の両側に備わった二箇所の開口それぞれより、左右の手を同時に第１のシートと第２のシートの間に挿入し、手拭き具の内側の吸液層に手を擦りつけることによって、手に付着している液体を拭き取ることができる。
【００１１】
手拭き具の吸液層が、開口の内側にあることにより、手拭き具を鞄又は衣服の中に収納した時に、吸液層が、吸液層に吸収されている液体によって、手拭き具の外側にある物や衣服を汚してしまうリスクが低い。
【００１２】
また、手拭き具を鞄又は衣服又は腰ベルトに取り付けられた状態にしておけば、手を拭く時に、手拭き具を鞄や衣服の中から取り出して広げる手間が省け、また、手を拭いた後に、手拭き具を畳んで鞄や衣服の中にしまう手間も省ける。
【図面の簡単な説明】
【００１３】
【図１】（Ａ）は、第１の手拭き具の斜視図であり、（Ｂ）は、側面図である。
【図２】他の構成例の側面図である。
【図３】この手拭き具を使って液体の付着した手を拭く時の、手の動かし方を示した説明図である。
【図４】この手拭き具を使って液体の付着した手を拭く時の、手の動かし方を示した説明図である。
【図５】（Ａ）は、第２の手拭き具の斜視図であり、（Ｂ）と（Ｃ）は、側面図である。
【図６】（Ａ）は、第３の手拭き具の斜視図であり、（Ｂ）と（Ｃ）は、側面図である。
【図７】（Ａ）は、第３の手拭き具の斜視図であり、（Ｂ）と（Ｃ）は、側面図である。
【図８】取付部材用の環の構成例の説明図である。
【発明を実施するための形態】
【００１４】
以下、図を参照して、本発明の実施の形態について説明するが、各構成要素の形状、大きさ及び配置関係については、この発明が理解できる程度に概略的に示したものに過ぎない。また、以下、本発明の好適な構成例につき説明するが、各構成要素の材質及び数値的条件などは、単なる好適例にすぎない。従って、本発明は以下の実施の形態に限定されるものではなく、本発明の構成の範囲を逸脱せずに本発明の効果を達成できる多くの変更又は変形を行うことができる。
【００１５】
（第１の手拭き具）
図１を参照して、本発明の第１の実施形態に係る手拭き具（以下、第１の手拭き具と称する）について説明する。図１（Ａ）は、第１の手拭き具の斜視図であり、図１（Ｂ）は、第１の手拭き具の側面図である。
【００１６】
第１の手拭き具は、略等しい大きさで略方形状の、吸液層１０ｅと難透液層１０ｆの二層からなる第１のシート１０と、吸液層２０ｅと難透液層２０ｆの二層からなる第２のシート２０を、吸液層同士が向き合うように重ね合わせ、第１のシートと第２のシートの、重なった領域の周囲四辺のうち対向する二辺において、第１のシート１０と第２のシート２０とを接合し、他の二辺では接合しない。これにより、接合された対向する一組の辺１０ａおよび１０ｂの領域が閉口部となり、他の接合されない組の辺１０ｃおよび１０ｄの領域が開口部として構成される。
【００１７】
第１のシートと第２のシートを重ね合わせる方法としては、二枚の略方形状で略等しい大きさのシートを重ね合わせる方法や、略長方形状の一枚のシートを、長手方向を略二分する位置で折り曲げて重ね合わせる方法がある。
なお、第１のシート及び第２のシートの形状は方形状に限られない。円形や楕円形を含め、任意の形状にすることができる。この場合、第１のシートと第２のシートが重なった領域の周囲を、離間する２箇所で接合すればよい。
【００１８】
図２に示すように、手拭き具を構成する第１のシートと第２のシートのうち一方を、他方に対し、弛ませて構成することもある。一方のシートの接合しない辺の長さを、他方のシートの接合しない辺の長さよりも、やや長くすることで、弛ませて構成することができる。第１のシートと第２のシートのうち一方が、手拭き具の外側に向けてしなりにくい材質や状態である場合などに、このように構成することで、左右の手を挿入する吸液層と吸液層の間が、手を拭くのに十分な広さになるようにできる。
【００１９】
シートの吸液層は、水や油などを含む液体を吸収する。シートの難透液層は、水や油などを含む液体を透過しにくい。
【００２０】
シートの吸液層には、綿、麻、竹、極細化学繊維などを中心とする素材で作られた吸液性の高い布の他に、ポリビニールアルコール、ポリエステル、ポリウレタンなどを中心とする素材で作られた、布のようにしなやかであって液体を抱え込める多孔質構造を持つ、人工セーム革などを用いる。
【００２１】
また、シートの吸液層が抗菌性を有する布であると、手拭き具を、より衛生的な状態に保つことができる。抗菌性を有する布の例としては、元来抗菌性を備える竹などの天然繊維、銀などの抗菌物質により抗菌加工を施された綿繊維や極細化学繊維などの素材から作られた布であって、抗菌性を有する任意好適な布を用いることができる。
【００２２】
シートの難透液層には、ナイロンやポリエステルなどを中心とする素材で作られた難透液性の高い布やポリ塩化ビニルなどを中心とする素材で作られた難透液性の高いビニールなどを用いるのが好ましい。
【００２３】
シートの難透液層が透湿性を持っていると、吸液層で吸収した液体が気化した状態の湿気を、効率良く手拭き具の外に逃がすことができる。これにより吸液層が乾きやすくなるため、複数回繰り返し、手拭き具を快適に使用できる。
この場合の難透液層は、液体は透過しにくいが気体は透過しやすい性質を持つ布を指しており、透湿防水布という名称で市販されている布などがこれに該当する。
【００２４】
手拭き具の構造上、シートの吸液層が、開口の内側にあり、外側が難透液層である。この構造により、手拭き具を鞄や衣服の中に収納した場合に、吸液層に吸収されている液体が、手拭き具の外側にある物や衣服を汚してしまうリスクが低い。
また、手拭き具の吸液層が、手拭き具の外側にある雑菌、粉塵、くしゃみの飛沫などの汚染物質によって汚染されるリスクが低い。ひいては、手を拭く時に、衛生的な吸液層にて拭くことができる。
【００２５】
第１のシートを構成する層である１０ｆと、第２のシートを構成する層である２０ｆのうち、一方又は両方が、難透液層ではなく吸液層であると、手拭き具の開口の外側にある吸液層の面を、額、目元、口元に押し当てる等の用途にも使うことができ、便利である。
【００２６】
図３は、手拭き具を使って液体の付着した手を拭く時の、手の動かし方を示した説明図であり、左右の手を（Ａ）から（Ｂ）の状態に遷移するように動かし、手を手拭き具の内側の吸液層に擦りつける様子を示している。
【００２７】
ここで、図４を参照して、手拭き具を使って液体の付着した手を拭く時の、手の動かし方の他の例を示す。図４（Ａ）は、図３（Ａ）を、内側にある吸液層が外側にくるように、開口部よりひっくり返した状態である。
図４（Ｂ）は、図４（Ａ）の手拭き具を使って液体の付着した手を拭く時の、手の動かし方を示した説明図であり、左右の手を（Ａ）から（Ｂ）の状態に遷移するように動かし、手を手拭き具の外側にある吸液層に擦りつける様子を示している。なお、手を拭く以外の時には、手拭き具は、吸液層が内側にある状態にしてあると良い。
このような手の動かし方によっても手を拭くことができると、手を拭く時に手拭き具をひっくり返す手間は掛かるが、手を手拭き具の内側の吸液層に擦りつけて拭くことに慣れていない人などが、比較的抵抗なく本発明の手拭き具で手を拭くことができる。
【００２８】
（第２の手拭き具）
図５を参照して、本発明の第２の実施形態に係る手拭き具（以下、第２の手拭き具と称する）について説明する。図５（Ａ）は、第２の手拭き具の斜視図であり、図５（Ｂ）と図５（Ｃ）は、第２の手拭き具の側面図である。なお、第１の手拭き具と同様に構成される部分については、重複する説明を省略することがある。
【００２９】
第２の手拭き具は、第１の手拭き具の構成に加え、重ね合わされた第１のシートと、第２のシートの間に、両面が吸液層からなる第３のシートを備えて構成される。なお、第３のシートは、両面側にそれぞれ吸収層を備える多層構造であってもよいし、吸収層のみの単層構造であってもよい。
【００３０】
第２の手拭き具は、閉口する部分の辺１０ｂ側にある第３のシートの一辺が、図５（Ｂ）のように、辺１０ｂに接合するように構成する場合もあるし、図５（Ｃ）のように、辺１０ｂに接合しないように構成する場合もある。
【００３１】
第２の手拭き具を使って手を拭く時には、片方の手を開口箇所から第１のシートと第３のシートの間に挿入し、もう片方の手を開口箇所から、第２のシートと第３のシートの間に挿入する。なお、第２の手拭き具を使って手を拭く時の手の動かし方は、図３の説明に準じるものとし、左右の手を図３（Ａ）から図３（Ｂ）の状態に遷移するように動かし、手を手拭き具の内側の吸液層に擦りつけて、手に付着している液体を拭き取る。上述のとおり挿入すると、片方の手が第１のシートの吸液層と第３のシートの吸液層に挟まれ、もう片方の手が第２のシートの吸液層と第３のシートの吸液層に挟まれた状態、すなわち、左右の手それぞれが、吸液層によって挟まれた状態となる。このため、一度に手に接触する吸液層の面積が大きくなるので、第２の手拭き具では、第１の手拭き具よりも、迅速に手を拭くことができる。
【００３２】
第２の手拭き具において、手を拭く時の手の動かし方の他の例は、図４の説明に準じるものとし、この場合、図４（Ａ）は、図３（Ａ）を、内側にある吸液層が外側にくるように、開口部よりひっくり返した状態にあるものとする。
図４（Ｂ）は、図４（Ａ）の手拭き具を使って液体の付着した手を拭く時の、手の動かし方を示した説明図であり、左右の手を図４（Ａ）から図４（Ｂ）の状態に遷移するように動かし、手を手拭き具の外側の吸液層に擦りつけて、手に付着している液体を拭き取ることができる。なお、手を拭く以外の時には、手拭き具は、吸液層が内側にある状態にしてあると良い。
【００３３】
（第３の手拭き具）
図６を参照して、本発明の第３の実施形態に係る手拭き具（以下、第３の手拭き具と称する）について説明する。図６（Ａ）は、第３の手拭き具の斜視図であり、図６（Ｂ）は、第３の手拭き具の側面図であり、図６（Ｃ）は、第３の手拭き具にハンカチを保持させた状態の側面図である。なお、第１の手拭き具や第２の手拭き具と同様に構成される部分については、重複する説明を省略することがある。
【００３４】
第３の手拭き具は、略等しい大きさで略方形状の、吸液層と難透液層の二層からなる第１のシートと、吸液層と難透液層の二層からなる第２のシートを、吸液層同士が向き合うように重ね合わせ、重ね合わせた第１のシートと第２のシートの周囲四辺のうち、対向する二辺を接合し、他の二辺を開口部として構成し、接合した一辺に沿った領域部分の内側にハンカチ掛け４０を設けて構成する。ハンカチ掛け４０に、折り畳まれているハンカチ６０の環になった側を掛けることによって、ハンカチ６０を、吸液層と吸液層の間に保持できるようになる。これは、第２の手拭き具を構成する第３のシートが、着脱自在に取り付けられた構造の手拭き具であるとも言える。
第３の手拭き具で手を拭く時には、手拭き具の両側に備わった開口個所から左右の手を同時に、第１のシートと第２のシートの間に挿入し、手を、手拭き具の内側の吸液層およびハンカチに擦りつけて、付着している液体を拭き取る。第３の手拭き具では、手に付着している液体を、手拭き具の内側の吸液層とハンカチ６０の両方によって迅速に拭き取ることができる。また、液体を吸収した状態のハンカチ６０を、乾いた状態のハンカチ６０と適宜交換することで、複数回繰り返し、手拭き具を快適に使用できる。
【００３５】
ハンカチ掛け４０は、金属、樹脂、ナイロン、綿などの素材により作られたものであって、折り畳まれた状態のハンカチの、環になった側を掛けることのできる形状である。
【００３６】
第２の手拭き具を構成する第３のシートを、着脱自在に取り付ける為に、第３の手拭き具の、接合した一辺に沿った領域部分の内側に、上述したハンカチ掛け４０の代わりに、図７に示すように、一又は複数のハンカチ保持用クリップ５０を設けて構成することもある。ハンカチ保持用クリップ５０で、折り畳まれた状態もしくは広げられた状態のハンカチ６０を挟むことによって、ハンカチ６０を、吸液層と吸液層の間に保持できるようになる。
図７（Ａ）は、第３の手拭き具の斜視図であり、図７（Ｂ）は、第３の手拭き具の側面図であり、図７（Ｃ）は、第３の手拭き具にハンカチ６０を保持させた状態の側面図である。
【００３７】
ここでは、ハンカチ６０には、ミニタオルなど狭義のハンカチよりも厚いものも含むものとする。
なお、第３の手拭き具についても、第１の手拭き具や第２の手拭き具と同様に、第１のシート及び第２のシートの形状は方形状に限られない。
【００３８】
（手拭き具の他の構成例）
第１〜３の手拭き具を、鞄又は衣服又は腰ベルトに取り付けられた状態で使うことができるようにするため、第１〜３の手拭き具の、鞄又は衣服又は腰ベルトに接する側の面に、安全ピンや面ファスナーなどの着脱手段を設け、鞄又は衣服又は腰ベルトに対して着脱ができるように構成することもある。
【００３９】
それ以外の鞄又は衣服又は腰ベルトへの取り付け方として、バンド付きクリップ、ストラップ、カラビナ、ナスカン、ベルトなどの取付部材によって取り付けられるように、手拭き具を構成する場合もある。この場合、手拭き具で手を拭く際、すなわち、左右の手を手拭き具の両側に備わった開口箇所より抜き差しする動作をする際、この動作を妨げない箇所に、例えば図８（Ａ）や図８（Ｂ）に示すような、取付部材用の一又は複数の環７０が備わっている。
図８（Ａ）は、第２部分２０の外側の面に対して、ベルト８０を、閉口した一辺に沿う位置に両端１１０と中央１２０で固定し、両端１１０と中央１２０の間を取付部材用の環７０として利用する例を示す図であり、図８（Ｂ）は、接合した一辺に沿う位置に、金属、樹脂、紐などにより作られた取付部材用の環７０を備える例を示す図である。
【００４０】
また、上述した取付部材用の環７０には、バンド付きクリップ、ストラップ、カラビナ、ナスカン、ベルトなどの取付部材が取り付けられているのが良い。
【００４１】
手拭き具の両側に備わった二箇所の開口に、腰ベルトや紐などを、一方の開口から他方の開口に向けて抜けるように通すことによって、直接、手拭き具を鞄や身体などに取り付けることを、手拭き具の使用者に推奨することがある。
【００４２】
なお、第１〜第３の手拭き具は、鞄又は衣服に接着又は縫着されていてもよい。手拭き具が、鞄又は衣服に接着又は縫着されていると、手拭き具の携帯し忘れを防ぐことができ、また、鞄又は衣服を洗濯する際に、同時に手拭き具も洗濯され、便利である。想定する接着又は縫着対象は、トートバッグ、衣服、エコバッグ、エプロン、スモック、体操着、Ｔシャツ、スタイなど、洗濯頻度が高い製品である。例えば、革製鞄、コート、ジャケットなど洗濯頻度の低いものや洗濯不可能なものは除く。
【符号の説明】
【００４３】
１０    第１部分
１０ａ    閉口する部分の辺
１０ｂ    閉口する部分の辺
１０ｃ    開口する部分の辺
１０ｄ    開口する部分の辺
１０ｅ    吸液層
１０ｆ    難透液層
２０    第２部分
２０ｅ    吸液層
２０ｆ    難透液層
３０    第３部分
４０    ハンカチ掛け
５０    ハンカチ保持用クリップ
６０    ハンカチ
７０    取付部材用の環
８０    ベルト
【図１】
2018084019.tif 000003
【図２】
2018084019.tif 000004
【図３】
2018084019.tif 000005
【図４】
2018084019.tif 000006
【図５】
2018084019.tif 000007
【図６】
2018084019.tif 000008
【図７】
2018084019.tif 000009
【図８】
2018084019.tif 000010